(57)【要約】【課題】パイプ構造物の構成要素である棚板等を上下動させたり、或いはパイプ構造物の付属物である袖天板を水平姿勢から垂直姿勢に変化させることができるパイプ構造物を提供する。【解決手段】支柱としての縦パイプ２と、同縦パイプ２の上端部外周へ取り付けたロック機構筒体５の中へ移動可能に挿入されたラックパイプ３とで伸縮機構部４が構成され、縦パイプ２及びラックパイプ３に横梁パイプ９を連結してパイプ構造物１ａが構成されている。ロック機構筒体５に、ラックパイプ３のラック歯３ａへ噛み付いてラックパイプ３の位置を固定し、又は前記噛み付きを解除してラックパイプ３の移動を可能にするロック機構部６が設けられている。【選択図】図１
2008037551.tif 000002
【特許請求の範囲】
【請求項１】
支柱としての縦パイプと、同縦パイプの上端部外周へ取り付けたロック機構筒体の中へ移動可能に挿入されたラックパイプとで支柱の伸縮機構部が構成され、前記縦パイプ及びラックパイプに横梁パイプを連結してパイプ構造物が構成されており、
前記ロック機構筒体に、ラックパイプのラック歯へ噛み付いてラックパイプの位置を固定し、又は前記噛み付きを解除してラックパイプの移動を可能にするロック機構部が設けられていることを特徴とする、パイプ構造物。
【請求項２】
支柱としてのラックパイプと、同ラックパイプへ移動可能に嵌めた縦パイプの下端部外周へ取り付けたロック機構筒体とで支柱の伸縮機構部が構成され、前記縦パイプ及びラックパイプに横梁パイプを連結してパイプ構造物が構成されており、
前記ロック機構筒体に、ラックパイプのラック歯へ噛み付いて縦パイプの位置を固定し、又は前記噛み付きを解除して縦パイプの移動を可能にするロック機構部が設けられていることを特徴とする、パイプ構造物。
【請求項３】
支柱としてのラックパイプにロック機構筒体が少なくとも１個移動可能に取り付けられてスライド機構部が構成され、ラックパイプの上端と下端部及びロック機構筒体の付属継手に横梁パイプを連結してパイプ構造物が構成されており、
前記ロック機構筒体に、ラックパイプのラック歯へ噛み付いてロック機構筒体の位置を固定し、又は前記噛み付きを解除してロック機構筒体の移動を可能にするロック機構部が設けられていることを特徴とする、パイプ構造物。
【請求項４】
パイプ構造物の横梁パイプと、袖天板の外周パイプとが回転継手で連結されて袖天板が起伏自在に設置されており、
パイプ構造物において前記横梁パイプと平行な下段の支持パイプに支柱としての縦パイプの基端が連結され、前記縦パイプの他端へ取付けたロック機構筒体の中へ移動可能に挿入されたラックパイプとで頬杖の伸縮機構部が構成され、前記ラックパイプの他端を袖天板の前記外周パイプと平行な支持パイプと連結して前記袖天板を支持する頬杖を備えたパイプ構造物が構成されており、
前記ロック機構筒体に、ラックパイプのラック歯へ噛み付いてラックパイプの位置を固定し、又は前記噛み付きを解除してラックパイプの移動を可能にすることにより前記袖天板を回転移動させることができるロック機構部が設けられていることを特徴とする、パイプ構造物。
【請求項５】
ロック機構部は、ラックパイプのラック歯へ噛み付き、同ラックパイプの位置を固定するロック歯部材と、該ロック歯部材と連動し、同ロック歯部材の噛み付きを解除してラックパイプを移動可能にするレバーとから成り、
前記ロック歯部材及びレバーが、それぞれロック機構筒体へ回転可能に取付けられていることを特徴とする、請求項１〜４のいずれか一に記載したパイプ構造物。
【請求項６】
ロック機構部は、ラックパイプのラック歯へ噛み付き、同ラックパイプの位置を固定するロック歯部材と、該ロック歯部材の噛み付きを解除してラックパイプを移動可能にするレバーとから成り、
前記ロック歯部材が、バネ材を介してロック機構筒体へ回転可能に取付けられていることを特徴とする、請求項１〜４のいずれか一に記載したパイプ構造物。
【請求項７】
ラックパイプは、横断面形状が円形の場合には、円周の一部分を押し潰して軸線方向に平面部を形成した鋼管の外周面に樹脂を接着被覆すると共に、前記平面部に樹脂を厚層に被覆して、その樹脂が未だ軟らかい状態の時期にラック歯形成用ローラーを軸線方向に転がしてラック歯が形成された構成であることを特徴とする、請求項１〜６のいずれか一に記載したパイプ構造物。
【発明の詳細な説明】
【技術分野】
【０００１】
この発明は、物置棚や作業台車等として使用されるパイプ構造物の技術分野に属し、更に云えば、パイプ構造物の構成要素である棚板等を上下動させたり、或いはパイプ構造物の付属物である袖天板を水平姿勢から垂直姿勢に変化させることができるパイプ構造物に関する。
【背景技術】
【０００２】
従来のパイプ構造物の一例として、例えば下記特許文献１に開示されたパイプ構造物は、支柱としての縦パイプの側面に軸線方向に沿ってラック歯が形成されており、縦パイプのラック歯へ取り付け又は取り外し可能に噛み付く筒体によって保持されたソケットを利用して横梁パイプを連結した構成であると記載されている。
また、前記縦パイプは、薄肉金属管の外周面に合成樹脂を薄く均一な層状に被覆し接着して成る合成樹脂被覆金属管の外周面の長手方向に一定幅の帯状をなすラック歯が、前記合成樹脂を被覆し接着した直後の未だ軟らかい状態の時期に製造ラインの成形装置によって前記樹脂被覆層に少なくとも一列の帯状に連続的に形成されると記載されている。即ち、市場へ非常に安価で提供でき、発錆の心配は皆無である上に、表面の合成樹脂の美麗な外観によって意匠的美感に優れ、しかも軽量なパイプ構造物の構築ができる。
【０００３】
【特許文献１】実公平６−３０７４０号公報
【発明の開示】
【発明が解決しようとする課題】
【０００４】
上記特許文献１に開示されたパイプ構造物は、縦パイプへ取り付ける筒体の位置を自在に変更できるので、前記筒体に保持されるソケットの中へ挿入される横梁パイプの高さを調節して棚等を容易に且つ自在に上下させることができる。
しかし、前記棚等を上下させる度に、取り付けた筒体を取り外す作業が必要なので、作業性が悪く、使い勝手が悪い。
また、薄肉金属管の外周面に薄く均一な層状に被覆した合成樹脂の外周面に形成したラック歯では、薄い肉厚からはラック歯の形状の凹凸を彫りを深くは取れないから、前記筒体がしっかりと噛み付き難く、それ故にしっかりと安定したパイプ構造物を構築できるとは言い難い。
【０００５】
本発明の目的は、縦パイプと同縦パイプの端部外周へ取り付けたロック機構筒体の中へ移動可能に挿入されたラックパイプとで伸縮機構部を構成し、又はラックパイプとロック機構筒体とでスライド機構部を構成して、パイプ構造物の構成要素である棚板等を上下動させたり、或いはパイプ構造物の付属物である袖天板を水平姿勢から垂直姿勢に変化させることが容易に可能なパイプ構造物を提供することである。
【０００６】
本発明の次の目的は、防錆用の表面処理の必要がなく、意匠的美感に優れ、しかも軽量であることはもとより、ラックパイプに形成したラック歯の凹凸を彫りを深く形成して、ロック機構筒体のロック機構部へしっかりと噛み付けて位置決め固定でき、構造が安定したパイプ構造物を提供することである。
【課題を解決するための手段】
【０００７】
上記した従来技術の課題を解決するための手段として、請求項１に記載した発明に係るパイプ構造物は、
支柱としての縦パイプ２と、同縦パイプ２の上端部外周へ取り付けたロック機構筒体５の中へ移動可能に挿入されたラックパイプ３とで伸縮機構部４が構成され、前記縦パイプ２及びラックパイプ３に横梁パイプ９を連結してパイプ構造物１ａが構成されており、
前記ロック機構筒体５に、ラックパイプ３のラック歯３ａへ噛み付いてラックパイプ３の位置を固定し、又は前記噛み付きを解除してラックパイプ３の移動を可能にするロック機構部６が設けられていることを特徴とする。
【０００８】
請求項２に記載した発明に係るパイプ構造物は、
支柱としてのラックパイプ３と、同ラックパイプ３へ移動可能に嵌めた縦パイプ２の下端部外周へ取り付けたロック機構筒体５とで支柱の伸縮機構部４が構成され、前記縦パイプ２及びラックパイプ３に横梁パイプ９を連結してパイプ構造物１ｂが構成されており、
前記ロック機構筒体５に、ラックパイプ３のラック歯３ａへ噛み付いて縦パイプ２の位置を固定し、又は前記噛み付きを解除して縦パイプ２の移動を可能にするロック機構部６が設けられていることを特徴とする。
【０００９】
請求項３に記載した発明に係るパイプ構造物は、
支柱としてのラックパイプ３にロック機構筒体５が少なくとも１個移動可能に取り付けられてスライド機構部１７が構成され、支柱ラックパイプ３の上端と下端及びロック機構筒体５の付属継手１９に横梁パイプ９を連結してパイプ構造物１ｃが構成されており、
前記ロック機構筒体５に、ラックパイプ３のラック歯３ａへ噛み付いてロック機構筒体５の位置を固定し、又は前記噛み付きを解除してロック機構筒体５の移動を可能にするロック機構部６が設けられていることを特徴とする。
【００１０】
請求項４に記載した発明に係るパイプ構造物は、
パイプ構造物１ｄの横梁パイプ９と、袖天板１３の外周パイプ１３ａとが回転継手１８で連結されて袖天板１３が起伏自在に設置されており、
パイプ構造物１ｄにおいて前記横梁パイプ９と平行な下段の支持パイプ１２に支柱としての縦パイプ１４の基端が連結され、前記縦パイプ１４の他端へ取付けたロック機構筒体５の中へ移動可能に挿入されたラックパイプ３とで頬杖の伸縮機構部４が構成され、前記ラックパイプ３の他端を袖天板１３の前記外周パイプ１３ａと平行な支持パイプ１６と連結して前記袖天板１３を支持する頬杖を備えたパイプ構造物１ｄが構成されており、
前記ロック機構筒体５に、ラックパイプ３のラック歯３ａへ噛み付いてラックパイプ３の位置を固定し、又は前記噛み付きを解除してラックパイプ３の移動を可能にすることにより前記袖天板１３を回転移動させることができるロック機構部６が設けられていることを特徴とする。
【００１１】
請求項５に記載した発明は、請求項１〜４のいずれか一に記載したパイプ構造物において、
ロック機構部６は、ラックパイプ３のラック歯３ａへ噛み付き、同ラックパイプ３の位置を固定するロック歯部材６ａと、該ロック歯部材６ａへ連動させ、ロック歯部材６ａの噛み付きを解除してラックパイプ３を移動可能にするレバー６ｃとから成り、
前記ロック歯部材６ａ及びレバー６ｃが、それぞれロック機構筒体５へ回転可能に取付けられていることを特徴とする。
【００１２】
請求項６に記載した発明は、請求項１〜４に記載したパイプ構造物において、
ロック機構部７（又は８）は、ラックパイプ３のラック歯３ａへ噛み付き、同ラックパイプ３の位置を固定するロック歯部材７ａ（又は８ａ）と、該ロック歯部材７ａ（又は８ａ）の噛み付きを解除してラックパイプ３を移動可能にするレバー７ｃ（又は８ｃ）とから成り、
前記ロック歯部材７ａ（又は８ａ）が、バネ材７ｂ（又は８ｂ）を介してロック機構筒体５へ回転可能に取付けられていることを特徴とする。
【００１３】
請求項７に記載した発明は、請求項１〜６のいずれか一に記載したパイプ構造物において、
ラックパイプ３は、外周の一部分を押し潰して軸線方向に平面部３ｂを形成した鋼管の外周面に樹脂を接着被覆すると共に、前記平面部３ｂに樹脂を厚層に被覆して、その樹脂が未だ軟らかい状態の時期にラック歯形成用ローラー１５を軸線方向に転がしてラック歯３ａが形成された構成であることを特徴とする。
【発明の効果】
【００１４】
請求項１、２、５及び６に記載した発明に係るパイプ構造物１ａ及び１ｂは、伸縮機構部４のロック機構部６をロック又は解除に操作することで、ラックパイプ３又は縦パイプ２の位置を固定し又は伸縮（スライド）させることができるので、前記縦パイプ２又はラックパイプ３で支持する棚板１１等を上下動させることができる。所望の高さに移動させた棚板１１は、伸縮機構部４のロック機構部６の操作により、その位置を固定できる。即ち、本発明のパイプ構造物１ａ又は１ｂは、操作が非常に簡単で使い勝手が良い。
【００１５】
請求項３、５及び６に記載した発明に係るパイプ構造物１ｃは、スライド機構部１７のロック機構部６をロック又は解除に操作することで、ロック機構筒体５の位置を固定し又はスライドさせることができるので、前記ロック機構筒体５で支持する棚板１１等を上下動させることができる。所望の高さに移動させた棚板１１は、スライド機構部１７の操作により、その位置を固定できる。即ち、本発明のパイプ構造物１ｃは、操作が非常に簡単で使い勝手が良い。
【００１６】
請求項４、５及び６に記載した発明に係るパイプ構造物１ｄは、伸縮機構部４のロック機構部６をロック又は解除に操作することで、ラックパイプ３の位置を固定し又は伸縮（スライド）させることができるので、パイプ構造物１ｄの横梁パイプ９と回転継手１８で連結された袖天板１３を起伏自在に回転移動させて水平姿勢から垂直姿勢に戻すことができる。そして、前記の姿勢に回転させた袖天板１３は、伸縮機構部４のロック機構部６の操作により、その位置を固定できる。即ち、本発明のパイプ構造物１ｄは、操作が非常に簡単で使い勝手が良い。
【００１７】
請求項７に記載した発明に係るパイプ構造物は、ラックパイプ３の外周面に樹脂を接着被覆しているので、防錆用の表面処理の必要がなく、表面の合成樹脂の美麗な外観によって意匠的美感に優れ、しかも軽量である。その上、前記ラックパイプ３の外周の一部分へ厚層に被覆した樹脂をラック歯３ａに形成するので、彫りの深いラック歯３ａに形成でき、ロック機構部６の噛み付きが良いラック歯３ａを形成できる。
【発明を実施するための最良の形態】
【００１８】
本発明のパイプ構造物１ａは、支柱としての縦パイプ２と、同縦パイプ２の上端部外周へ取り付けたロック機構筒体５の中へ移動可能に挿入されたラックパイプ３とで伸縮機構部４を構成し、前記縦パイプ２及びラックパイプ３に横梁パイプ９を連結して構成する。ロック機構筒体５に、ラックパイプ３のラック歯３ａへ噛み付いてラックパイプ３の位置を固定し、又は前記噛み付きを解除してラックパイプ３の移動を可能にするロック機構部６を設ける。
【００１９】
或いは、支柱としてのラックパイプ３にロック機構筒体５を少なくとも１個移動可能に取り付けてスライド機構部１７を構成し、支柱ラックパイプ３の上端と下端及びロック機構筒体５の付属継手１９に横梁パイプ９を連結してパイプ構造物１ｃを構成する。ロック機構筒体５に、ラックパイプ３のラック歯３ａへ噛み付いてロック機構筒体５の位置を固定し、又は前記噛み付きを解除してロック機構筒体５の移動を可能にするロック機構部６を設ける。
【００２０】
また、本発明のパイプ構造物１ｄは、パイプ構造物１ｄの横梁パイプ９と、袖天板１３の外周パイプ１３ａとを回転継手１８で連結し袖天板１３を起伏自在に設置して実施することもできる。パイプ構造物１ｄにおいて前記横梁パイプ９と平行な下段の支持パイプ１２に支柱としての縦パイプ１４の基端を連結し、前記縦パイプ１４の他端へ取付けたロック機構筒体５の中へ移動可能に挿入したラックパイプ３とで頬杖の伸縮機構部４を構成し、前記ラックパイプ３の他端を袖天板１３の前記外周パイプ１３ａと平行な支持パイプ１６と連結して前記袖天板１３を支持する頬杖を備えたパイプ構造物１ｄを構成する。ロック機構筒体５に、ラックパイプ３のラック歯３ａへ噛み付いてラックパイプ３の位置を固定し、又は前記噛み付きを解除してラックパイプ３の移動を可能にすることにより前記袖天板１３を回転移動させることができるロック機構部６を設ける。
【実施例１】
【００２１】
以下に、本発明を図１〜図１０に示した実施例に基づいて説明する。
図１及び図２は、請求項１に記載した発明に係るパイプ構造物の代表的な実施例として、パイプ構造物１ａの上面へ作業台板１１を高さ位置の調整が自在に設置した作業台車をそれぞれ示している。このパイプ構造物１ａは、支柱としての縦パイプ２…と、同縦パイプ２の上端部外周へ取り付けたロック機構筒体５の中へ移動可能に挿入されたラックパイプ３とで伸縮機構部４が構成され、前記縦パイプ２とラックパイプ３とに取付けた継手１０に横梁パイプ９…を連結して構成されている。
【００２２】
上記ラックパイプ３は、図３（Ａ）及び（Ｂ）に示すように、横断面が円形の鋼管（直径が約２８ｍｍ）の円周の一部分を押し潰して（約４ｍｍ）軸線方向に平面部３ｃが形成された鋼管３ｂの外周面に、合成樹脂３ｄを接着被覆すると共に（図３Ａを参照）、前記鋼管３ｂの平面部３ｃには樹脂３ｄを厚層に被覆して、その樹脂３ｄが未だ軟らかい状態の時期にラック歯形成用ローラー１５を軸線方向に転がして、歯の一端側がほぼ垂直に立ち上がり他端側へ向かってなだらかに下がる形状のラック歯３ａが形成された構成である（図３Ｂを参照）。したがって、合成樹脂を接着被覆したラックパイプ３は、発錆の心配は皆無である上に、表面の合成樹脂の美麗な外観によって意匠的美感に優れ、しかも軽量である。その上、ラックパイプ３の外周の一部分へ厚層に被覆した樹脂をラック歯３ａに形成するので、彫りの深い歯が形成でき、ロック機構部６の噛み付きが良いラック歯３ａを形成できる。
なお、図３（Ａ）に示すラックパイプ３の平面部３ｃは、緩やかなＵ字形状又はＶ字形状に形成した状態を示しているが、この限りではない。また、前記ラックパイプ３は、横断面形状が円形の鋼管に限らず、例えば三角形や角形の鋼管でも、同様に実施することができる。
因みに、他の各縦パイプ２の外周面にも、発錆の防止及び意匠的美感を高める目的で合成樹脂を接着被覆している。
【００２３】
上記ロック機構筒体５は、上半分が縦パイプ２の上端よりも高く突き出されており、その上半分でラックパイプ３の一部分を覆っている。そして、前記縦パイプ２とラックパイプ３を跨ぐ配置に、ラックパイプ３のラック歯３ａへ噛み付いてラックパイプ３の位置を固定し、又は前記噛み付きを解除してラックパイプ３の移動を可能にするロック機構部６が設けられている。
【００２４】
図４〜図６は、上記ロック機構部６の実施形態として、異なる具体的な構成をそれぞれ示している。
先ず、図４（Ａ）〜（Ｃ）に示すロック機構部６は、ラックパイプ３のラック歯３ａへ噛み付き、同ラックパイプ３の位置を固定（図４Ｂを参照）するロック歯部材６ａと、該ロック歯部材６ａとバネ材６ｂを介して連動し、前記ロック歯部材６ａの噛み付きを解除（図４Ｃを参照）してラックパイプ３の上下移動を可能にするレバー６ｃとで構成されている。前記ロック歯部材６ａ及びレバー６ｃは、それぞれロック機構筒体５へ回転可能にボルト６ｄで取付けられている。
このロック機構部６は、ラックパイプ３のラック歯３ａに噛み付いたロック歯部材６ａを、レバー６ｃで解除することにより、ラックパイプ３を伸縮（スライド）できることを特徴とする（請求項５記載の発明）。
【００２５】
次に、図５（Ａ）〜（Ｃ）に示すロック機構部７は、ラックパイプ３の位置を固定するロック歯部材７ａと、該ロック歯部材７ａと一体的に設けられ、同ロック歯部材７ａの噛み付きを解除してラックパイプ３の上下移動を可能にするレバー７ｃとで構成されている。前記ロック歯部材７ａは、ロック機構筒体５へバネ材７ｂを介して回転可能にボルト７ｄで取付けられている。
このロック機構部７は、ラックパイプ３を上方へのスライドは、ラック歯３ａの向きが、垂直方向に見て、上端側からなだらかに水平方向に膨らみ、下端側が水平に切り立った形状となり、既にラック歯３ａへ噛み付いているロック歯部材７ａが、同ラック歯３ａを容易に乗り越えるが（図５Ｂを参照）、反対方向となるラックパイプ３の下方への移動は、歯の下端側がきいてラック歯３ａを乗り越えないで、次位のラック歯３ａへと噛み付き、前記ラックパイプ３の位置を固定できる（図５Ｃを参照）。ラックパイプ３の上下移動は、ロック歯部材７ａによって固定されたラックパイプ３の噛み付きをレバー７ｃで解除させることで可能である。
したがって、このロック機構部７は、ラックパイプ３を上方へスライドさせる場合において、レバー７ｃでラック歯３ａの噛み付きからロック歯部材７ａを解除する必要がないので、操作が簡単で、使い勝手に優れている（請求項６記載の発明）。
【００２６】
次に、図６（Ａ）〜（Ｃ）に示すロック機構部８は、ラックパイプ３の位置を固定するロック歯部材８ａと、該ロック歯部材８ａの下端部を押し込み、同ロック歯部材８ａの噛み付きを解除してラックパイプ３の上下移動を可能にするレバー８ｃとで構成されている。前記ロック歯部材８ａはバネ材８ｂを介してロック機構筒体５と回転可能にボルト８ｄで取り付けられている。また、前記レバー８ｃは、前記ロック機構筒体５へ回転可能にボルト８ｄで取り付けられている。
このロック機構部８は、ラックパイプ３を上方へスライドさせると、既にラック歯３ａへ噛み付いているロック歯部材８ａがラック歯３ａを乗り越えて（図６Ｂを参照）、次位のラック歯３ａへ噛み付きラックパイプ３の位置を固定できる（図６Ｃを参照）。ラックパイプ３を上下移動させるには、前記レバー８ｃでロック歯部材８ａの下端部を押し込んみ、ロック歯部材８ａをラック歯３ａから解除させることで可能となる（図６Ｄを参照）。
つまり、このロック機構部８は、レバー８ｃでロック歯部材８ａをラック歯３ａの噛み付きから解除することなく、ラックパイプ３を上方へスライドできるので、操作が簡単で、使い勝手に優れている（請求項６記載の発明）。
【００２７】
したがって、上記図１及び図２に示すパイプ構造物１ａは、伸縮機構部４のロック機構部６を操作して、該ロック機構部６のロック歯部材６ａをラックパイプ３のラック歯３ａから解除すると、ラックパイプ３は伸縮（スライド）させることができ、パイプ構造物の構成要素である棚板１１等を容易に上下動させることができる。所望の高さに移動させた棚板１１は、伸縮機構部４のロック機構部６の操作により、ロック機構部６のロック歯部材６ａをラックパイプ３のラック歯３ａへ噛み合わせて、その位置を固定できる。
【実施例２】
【００２８】
図７及び図８にそれぞれ示すパイプ構造物１ｂは、端的に言えば、実施例１に記載したパイプ構造物１ａを構成するラックパイプ３と縦パイプ２の位置を逆にした構成である。即ち、支柱としてのラックパイプ３と、同ラックパイプ３へ移動可能に嵌めた縦パイプ２の下端部外周へ取り付けたロック機構筒体５とで支柱の伸縮機構部４が構成され、前記縦パイプ２及びラックパイプ３へ取付けた継手１０…に横梁パイプ９…を連結してパイプ構造物１ｂが構成されている。
【００２９】
上記ロック機構筒体５は、下半分が縦パイプ２の下端よりも低く突き出されており、その下半分でラックパイプ３の一部分を覆っている。そして、前記縦パイプ２とラックパイプ３を跨ぐ配置に、ラックパイプ３のラック歯３ａへ噛み付いてラックパイプ３の位置を固定し、又は前記噛み付きを解除してラックパイプ３の移動を可能にするロック機構部６が設けられている（以上、請求項２記載の発明）。
【実施例３】
【００３０】
図９に示すパイプ構造物１ｃは、支柱としてのラックパイプ３にロック機構筒体５が２個移動可能に取付けられてスライド機構部１７が構成され、ラックパイプ３の上下端及びロック機構筒体５の付属継手１９に横梁パイプ９を連結して構成されている。但し、前記ロック機構筒体５の個数は、図示した実施例に限定されない。ラックパイプ３の長さによって、適宜、個数を増減させて実施できることは勿論である。
そして、前記ロック機構筒体５に、ラックパイプ３のラック歯３ａへ噛み付いてロック機構筒体５の位置を固定し、又は前記噛み付きを解除してロック機構筒体５の移動を可能にするロック機構部６が設けられている。このスライド機構部１７を構成するロック機構部６の構成は、上記実施例１で記載した伸縮機構部４のロック機構部６（図４〜図６を参照）と同じ構成なので、説明は省略する。
【００３１】
したがって、図９に示すパイプ構造物１ｃは、スライド機構部１７のロック機構部６を操作して、該ロック機構部６のロック歯部材６ａをラックパイプ３のラック歯３ａから解除すると、ロック機構筒体５をスライドさせることができ、パイプ構造物の構成要素である棚板１１等を上下動させることができる。所望の高さに移動させた棚板１１は、スライド機構部１７のロック機構部６の操作により、ロック機構部６のロック歯部材６ａをラックパイプ３のラック歯３ａへ噛み合わせて、その位置を固定できる（以上、請求項３記載の発明）。
【実施例４】
【００３２】
図１０（Ａ）及び（Ｂ）に示すパイプ構造物１ｄは、パイプ構造物１ｄの横梁パイプ９と、同パイプ構造物１ｄの付属物である袖天板１３の外周パイプ１３ａとが回転継手１８で連結されて袖天板１３が起伏自在に設置されている。
このパイプ構造物１ｄは、前記横梁パイプ９と平行な下段の支持パイプ１２に支柱としての縦パイプ１４の基端が連結され、前記縦パイプ１４の他端へ取付けたロック機構筒体５の中へ移動可能に挿入されたラックパイプ３とで頬杖の伸縮機構部４が構成され、前記ラックパイプ３の他端を袖天板１３の前記外周パイプ１３ａと平行な支持パイプ１６と連結して前記袖天板１３を支持する頬杖を備えている。
そして、ロック機構筒体５に、ラックパイプ３のラック歯３ａへ噛み付いてラックパイプ３の位置を固定し、又は前記噛み付きを解除してラックパイプ３の移動を可能にすることにより前記袖天板１３を回転移動させることができるロック機構部６（図４〜図６を参照）が設けられている。
【００３３】
したがって、図１０（Ａ）及び（Ｂ）に示すパイプ構造物１ｄは、伸縮機構部４のロック機構部６をロック又は解除に操作して、該ロック機構部６のロック歯部材６ａをラックパイプ３のラック歯３ａから解除すると、ラックパイプ３の位置を固定し又は伸縮（スライド）させることができ、パイプ構造物１ｄの横梁パイプ９と回転継手１８で連結された袖天板１３を起伏自在に回転移動させて水平姿勢（図１０Ａを参照）から垂直姿勢（図１０Ｂを参照）に戻すことができる。そして、前記の姿勢に回転させた袖天板１３は、伸縮機構部４のロック機構部６の操作により、ロック機構部６のロック歯部材６ａをラックパイプ３のラック歯３ａへ噛み合わせて、その位置を固定できる（以上、請求項４記載の発明）。
【００３４】
以上に本発明を図示した実施例に基づいて説明したが、勿論、本発明は、図示した実施例に限定されるものではない。いわゆる当業者が通常行う設計変更、応用の範囲における種々異なる態様で実施できるものである。
【図面の簡単な説明】
【００３５】
【図１】請求項１に記載したパイプ構造物の代表例を示す斜視図である。
【図２】請求項１に記載したパイプ構造物の異なる実施形態を示す斜視図である。
【図３】（Ａ）はラックパイプの断面図である。（Ｂ）はラックパイプに附加ローラーを押し当ててラック歯を形成した状態を概略的に示す説明図である。
【図４】（Ａ）伸縮機構部を拡大して示す斜視図である。（Ｂ）及び（Ｃ）はロック機構部の構成を示す説明図である。
【図５】（Ａ）は異なる伸縮機構部を拡大して示す斜視図である。（Ｂ）及び（Ｃ）はロック機構部の構成を示す説明図である。
【図６】（Ａ）は異なる伸縮機構部を拡大して示す斜視図である。（Ｂ）〜（Ｄ）はロック機構部の構成を示す説明図である。
【図７】請求項２に記載したパイプ構造物の代表例を示す斜視図である。
【図８】請求項２に記載したパイプ構造物の異なる実施形態を示す斜視図である。
【図９】請求項３に記載したパイプ構造物の代表例を示す斜視図である。
【図１０】（Ａ）及び（Ｂ）は、請求項４に記載したパイプ構造物を示す斜視図である。
【符号の説明】
【００３６】
１ａ〜１ｄ  パイプ構造物
２、１４    縦パイプ
３          ラックパイプ
３ａ        ラック歯
４          伸縮機構部
５          ロック機構筒体
６〜８      ロック機構部
９          横梁パイプ
１２、１６    支持パイプ
１３          袖天板
１７          スライド機構部
１９          付属継手 
【図１】
2008037551.tif 000003
【図２】
2008037551.tif 000004
【図３】
2008037551.tif 000005
【図４】
2008037551.tif 000006
【図５】
2008037551.tif 000007
【図６】
2008037551.tif 000008
【図７】
2008037551.tif 000009
【図８】
2008037551.tif 000010
【図９】
2008037551.tif 000011
【図１０】
2008037551.tif 000012